(57)【要約】【課題】外壁等に穴を開けずに設置することが可能なダクトを提供する。【解決手段】ダクトは、基礎と土台の間に基礎パッキンが介在した建物の、基礎と土台の隙間に配置される第１中空部と、第１中空部に対して外部空間側で第１中空部と連続し、基礎と土台の隙間から外部空間へ向けて突出した、開口を有する突出部と、を備える。【選択図】図１
2020190174.tif 000002
【特許請求の範囲】
【請求項１】
基礎と土台の間に基礎パッキンが介在した建物の、前記基礎と前記土台の隙間に配置される第１中空部と、
前記第１中空部に対して外部空間側で前記第１中空部と連続し、前記基礎と前記土台の隙間から外部空間へ向けて突出した、開口を有する突出部と、
を備えるダクト。
【請求項２】
前記基礎と前記土台の少なくとも一方の外部空間側の面に取り付けるための取付部をさらに備える、
請求項１に記載のダクト。
【請求項３】
前記突出部は、前記土台に設けられる水切りの内側の空間に収容される、
請求項１または２に記載のダクト。
【請求項４】
前記開口は、下方に向けて開放される、
請求項１ないし３の何れかに記載のダクト。
【請求項５】
前記開口と前記基礎の外部空間側の面との間に突出した返し部をさらに備える、
請求項４に記載のダクト。
【請求項６】
前記第１中空部に対して床下空間側で前記第１中空部と連続し、前記第１中空部よりも断面積が拡張された第２中空部をさらに備える、
請求項１ないし５の何れかに記載のダクト。
【請求項７】
前記第１中空部と前記第２中空部の境界は、前記第２中空部と前記基礎の床下空間側の面との間に断熱材用の空間が形成されるように、前記基礎の床下空間側の面から離れて位置する、
請求項６に記載のダクト。
【請求項８】
前記第１中空部の上面と前記第２中空部の上面とが同一平面を形成する、
請求項６または７の何れかに記載のダクト。
【請求項９】
前記第１中空部と前記第２中空部とが分割可能である、
請求項６ないし８の何れかに記載のダクト。
【請求項１０】
前記突出部は、前記基礎と前記土台の隙間から外部空間へ向けて突出し、さらに下方に延びる、
請求項１ないし９の何れかに記載のダクト。
【請求項１１】
前記第１中空部を通された電気ケーブルが接続される電気ボックスを支持するための支持部をさらに備える、
請求項１ないし１０の何れかに記載のダクト。
【請求項１２】
前記突出部は、液体又は気体を通す管を前記開口に連結するための連結部を有する、
請求項１ないし１０の何れかに記載のダクト。
【請求項１３】
前記基礎と前記土台の少なくとも一方に凹部が形成され、
前記第１中空部が配置される前記基礎と前記土台の隙間の厚さが、前記基礎パッキンの厚さよりも大きい、
請求項１ないし１２の何れかに記載のダクト。
【請求項１４】
ダクトと、
前記ダクトに連結される送風機と、
を備え、
前記ダクトは、
基礎と土台の間に基礎パッキンが介在した建物の、前記基礎と前記土台の隙間に配置される第１中空部と、
前記第１中空部に対して外部空間側で前記第１中空部と連続し、前記基礎と前記土台の隙間から外部空間へ向けて突出した、開口を有する突出部と、
を備える、換気システム。
【請求項１５】
前記送風機は、前記建物の内壁、床、又は天井に設けられ、室内空間を換気する、
請求項１４に記載の換気システム。
【請求項１６】
前記送風機は、前記建物の外部空間に設けられたベンチレータである、
請求項１４に記載の換気システム。
【請求項１７】
基礎と、
土台と、
前記基礎と前記土台の間に介在する基礎パッキンと、
ダクトと、
を備え、
前記ダクトは、
前記基礎と前記土台の隙間に配置される第１中空部と、
前記第１中空部に対して外部空間側で前記第１中空部と連続し、前記基礎と前記土台の隙間から外部空間へ向けて突出した、開口を有する突出部と、
を備える、建物。
【請求項１８】
前記ダクトに連結される送風機をさらに備える、
請求項１７に記載の建物。
【請求項１９】
基礎と土台の少なくとも一方に形成された凹部によって前記基礎と前記土台の間に形成された隙間又は前記基礎に形成された貫通穴に配置される第１中空部と、
前記第１中空部に対して外部空間側で前記第１中空部と連続し、前記基礎と前記土台の隙間又は前記基礎の貫通穴から外部空間へ向けて突出した、開口を有する突出部と、
を備えるダクト。
【請求項２０】
ダクトと、
前記ダクトに連結される送風機と、
を備え、
前記ダクトは、
基礎と土台の少なくとも一方に形成された凹部によって前記基礎と前記土台の間に形成された隙間又は前記基礎に形成された貫通穴に配置される第１中空部と、
前記第１中空部に対して外部空間側で前記第１中空部と連続し、前記基礎と前記土台の隙間又は前記基礎の貫通穴から外部空間へ向けて突出した、開口を有する突出部と、
を備える、換気システム。
【請求項２１】
基礎と、
土台と、
ダクトと、
を備え、
前記ダクトは、
前記基礎と前記土台の少なくとも一方に形成された凹部によって前記基礎と前記土台の間に形成された隙間又は前記基礎に形成された貫通穴に配置される第１中空部と、
前記第１中空部に対して外部空間側で前記第１中空部と連続し、前記基礎と前記土台の隙間又は前記基礎の貫通穴から外部空間へ向けて突出した、開口を有する突出部と、
を備える、建物。
【発明の詳細な説明】
【技術分野】
【０００１】
本発明は、ダクト、換気システム、及び建物に関する。
【背景技術】
【０００２】
建物に換気扇を設置する場合、外壁に換気口となる穴が開けられ、ベントキャップが取り付けられる。
【発明の概要】
【発明が解決しようとする課題】
【０００３】
建物の外壁等に開けられた穴は、建物の外観において目立ってしまうことがある。
【０００４】
本発明は、上記課題に鑑みてなされたものであり、その主な目的は、外壁等に穴を開けずに設置することが可能なダクト、換気システム、及び建物を提供することにある。
【課題を解決するための手段】
【０００５】
上記課題を解決するため、本発明の一の態様のダクトは、基礎と土台の間に基礎パッキンが介在した建物の、前記基礎と前記土台の隙間に配置される第１中空部と、前記第１中空部に対して外部空間側で前記第１中空部と連続し、前記基礎と前記土台の隙間から外部空間へ向けて突出した、開口を有する突出部と、を備える。これによれば、外壁等に穴を開けずにダクトを設置することが可能となり、また、施行やメンテナンスを容易にすることも可能となる。
【０００６】
上記態様において、前記基礎と前記土台の少なくとも一方の外部空間側の面に取り付けるための取付部をさらに備えてもよい。これによれば、突出部が隙間から突出する大きさを定めることが可能となる。
【０００７】
上記態様において、前記突出部は、前記土台に設けられる水切りの内側の空間に収容されてもよい。これによれば、建物の外観において突出部を目立たなくすることが可能となる。
【０００８】
上記態様において、前記開口は下方に向けて開放されてもよい。これによれば、排気等を下方に向けて排出することが可能となる。
【０００９】
上記態様において、前記開口と前記基礎の外部空間側の面との間に突出した返し部をさらに備えてもよい。これによれば、基礎にモルタルを塗る際に開口が塞がれることを抑制することが可能となる。
【００１０】
上記態様において、前記第１中空部に対して床下空間側で前記第１中空部と連続し、前記第１中空部よりも断面積が拡張された第２中空部をさらに備えてもよい。これによれば、第１中空部に気体等を通しやすくすることが可能となる。
【００１１】
上記態様において、前記第１中空部と前記第２中空部の境界は、前記第２中空部と前記基礎の床下空間側の面との間に断熱材用の空間が形成されるように、前記基礎の床下空間側の面から離れて位置してもよい。これによれば、基礎断熱材用の空間を確保することが可能となる。
【００１２】
上記態様において、前記第１中空部の上面と前記第２中空部の上面とが同一平面を形成してもよい。これによれば、床断熱材用の空間を確保することが可能となる。
【００１３】
上記態様において、前記第１中空部と前記第２中空部とが分割可能であってもよい。これによれば、土台を設置した後であってもダクトを設置することが容易となる。
【００１４】
上記態様において、前記突出部は、前記基礎と前記土台の隙間から外部空間へ向けて突出し、さらに下方に延びてもよい。これによれば、基礎の外側の空間を利用することが可能となる。
【００１５】
上記態様において、前記第１中空部を通された電気ケーブルが接続される電気ボックスを支持するための支持部をさらに備えてもよい。これによれば、電気ケーブルを通すためにダクトを利用することが可能となる。
【００１６】
上記態様において、前記突出部は、液体又は気体を通す管を前記開口に連結するための連結部を有してもよい。これによれば、液体又は気体を通すためにダクトを利用することが可能となる。
【００１７】
上記態様において、前記基礎と前記土台の少なくとも一方に凹部が形成され、前記第１中空部が配置される前記基礎と前記土台の隙間の厚さが、前記基礎パッキンの厚さよりも大きくてもよい。これによれば、ダクトの厚さの向上を図ることが可能となる。
【００１８】
また、本発明の他の態様の換気システムは、ダクトと、前記ダクトに連結される送風機と、を備え、前記ダクトは、基礎と土台の間に基礎パッキンが介在した建物の、前記基礎と前記土台の隙間に配置される第１中空部と、前記第１中空部に対して外部空間側で前記第１中空部と連続し、前記基礎と前記土台の隙間から外部空間へ向けて突出した、開口を有する突出部と、を備える。これによれば、外壁等に穴を開けずにダクトを設置することが可能となる。
【００１９】
上記態様において、前記送風機は、前記建物の内壁、床又は天井に設けられ、室内空間を換気してもよい。これによれば、室内空間の換気を行うことが可能となる。
【００２０】
上記態様において、前記送風機は、前記建物の外部空間に設けられたベンチレータであってもよい。これによれば、ベンチレータを利用して換気を行うことが可能となる。
【００２１】
また、本発明の他の態様の建物は、基礎と、土台と、前記基礎と前記土台の間に介在する基礎パッキンと、ダクトと、を備え、前記ダクトは、前記基礎と前記土台の隙間に配置される第１中空部と、前記第１中空部に対して外部空間側で前記第１中空部と連続し、前記基礎と前記土台の隙間から外部空間へ向けて突出した、開口を有する突出部と、を備える。これによれば、外壁等に穴を開けずにダクトを設置することが可能となる。
【００２２】
上記態様において、前記ダクトに連結される送風機をさらに備えてもよい。これによれば、ダクトを換気に利用することが可能となる。
【００２３】
また、本発明の他の態様のダクトは、基礎と土台の少なくとも一方に形成された凹部によって前記基礎と前記土台の間に形成された隙間又は前記基礎に形成された貫通穴に配置される第１中空部と、前記第１中空部に対して外部空間側で前記第１中空部と連続し、前記基礎と前記土台の隙間又は前記基礎の貫通穴から外部空間へ向けて突出した、開口を有する突出部と、を備える。これによれば、外壁に穴を開けずにダクトを設置することが可能となる。
【００２４】
また、本発明の他の態様の換気システムは、ダクトと、前記ダクトに連結される送風機と、を備え、前記ダクトは、基礎と土台の少なくとも一方に形成された凹部によって前記基礎と前記土台の間に形成された隙間又は前記基礎に形成された貫通穴に配置される第１中空部と、前記第１中空部に対して外部空間側で前記第１中空部と連続し、前記基礎と前記土台の隙間又は前記基礎の貫通穴から外部空間へ向けて突出した、開口を有する突出部と、を備える。これによれば、外壁に穴を開けずにダクトを設置することが可能となる。
【００２５】
また、本発明の他の態様の建物は、基礎と、土台と、ダクトと、を備え、前記ダクトは、前記基礎と前記土台の少なくとも一方に形成された凹部によって前記基礎と前記土台の間に形成された隙間又は前記基礎に形成された貫通穴に配置される第１中空部と、前記第１中空部に対して外部空間側で前記第１中空部と連続し、前記基礎と前記土台の隙間又は前記基礎の貫通穴から外部空間へ向けて突出した、開口を有する突出部と、を備える。これによれば、外壁に穴を開けずにダクトを設置することが可能となる。
【発明の効果】
【００２６】
本発明によれば、外壁等に穴を開けずにダクトを設置することが可能となる。
【図面の簡単な説明】
【００２７】
【図１】第１実施形態に係るダクトの側面図である。
【図２】同ダクトの平面図である。
【図３】同ダクトの正面図である。
【図４】同ダクトの底面図である。
【図５】同ダクトの背面図である。
【図６】第１実施形態に係るダクト、換気システム、及び建物を示す図である。
【図７】変形例を示す図である。
【図８】変形例を示す図である。
【図９】第２実施形態に係るダクト、換気システム、及び建物を示す図である。
【図１０】第３実施形態に係るダクト及び建物を示す図である。
【図１１】変形例を示す図である。
【図１２】変形例を示す図である。
【図１３】第４実施形態に係るダクト及び建物を示す図である。
【図１４】変形例を示す図である。
【図１５】第５実施形態に係るダクト及び建物を示す側面図である。
【図１６】同ダクト及び建物を示す正面図である。
【図１７】第６実施形態に係るダクト及び建物を示す側面図である。
【図１８】同ダクト及び建物を示す正面図である。
【図１９】第７実施形態に係るダクト及び建物を示す側面図である。
【図２０】同ダクト及び建物を示す正面図である。
【発明を実施するための形態】
【００２８】
以下、本発明の実施形態について、図面を参照しながら説明する。なお、各実施形態及び変形例において他の実施形態又は変形例と重複する構成については、同番号を付すことで詳細な説明を省略する。
【００２９】
［第１実施形態］
図１−５は、第１実施形態に係るダクト１の側面図、平面図、正面図、底面図、及び背面図である。以下、基礎７に対する外部空間Ａ側（外側）を前方とし、基礎７に対する床下空間Ｂ側（内側）を後方とする。
【００３０】
ダクト１が設置される建物１００は、基礎７、土台８、及びこれらの間に介在する基礎パッキン９を備える、いわゆる基礎パッキン工法による建物である。基礎７と土台８の間且つ隣り合う２つの基礎パッキン９の間には、外部空間Ａから床下空間Ｂに通じる隙間９ａが形成されている（図２参照）。
【００３１】
基礎７の内側の面には基礎断熱材７１が配置されており、床下空間Ｂの上方には床断熱材８２が配置されている。土台８の外側の面には、雨水が隙間９ａに浸入することを防止するための水切り８１が設けられている。
【００３２】
ダクト１は、薄型中空部１１、拡張中空部１２、突出部１３、取付部１４、返し部１５、連結部１６、取付部１７を備えている。ダクト１は、例えばステンレス等の金属材料で形成されている。薄型中空部１１は第１中空部の例であり、拡張中空部１２は第２中空部の例である。
【００３３】
薄型中空部１１は、上下方向に薄い矩形筒状に形成されており、上壁１１１、下壁１１２、及び左右の側壁１１３を備えている。薄型中空部１１は、基礎７と土台８の隙間９ａに配置される。薄型中空部１１の大きさは隙間９ａと同じ又はそれよりも小さい。
【００３４】
拡張中空部１２は、薄型中空部１１に対して床下空間Ｂ側（内側）に位置しており、薄型中空部１１と連続している。拡張中空部１２は、薄型中空部１１の上壁１１１、下壁１１２、及び左右の側壁１１３とそれぞれ連続する上壁１２１、下壁１２２、及び左右の側壁１２３を備えている。
【００３５】
拡張中空部１２は、薄型中空部１１よりも断面積が拡張されている、又は薄型中空部１１よりも上下方向の厚さが増大している。具体的には、拡張中空部１２は、薄型中空部１１から離れるほど断面積が徐々に大きくなるように形成されている。
【００３６】
拡張中空部１２の下壁１２２は、薄型中空部１１から離れるほど上壁１２１から離れるように下方に傾斜している。他方、拡張中空部１２の上壁１２１は、傾斜せずに、薄型中空部１１の上面１１１と同一平面を形成しており、これにより床断熱材８２を配置するための空間が確保されている。
【００３７】
また、拡張中空部１２の左右の側壁１２３は、薄型中空部１１から離れるほど互いに近づくように傾斜している。左右の側壁１２３の傾斜の程度は、下壁１２２の傾斜の程度よりも小さい。なお、左右の側壁１２３は、傾斜していなくてもよい。
【００３８】
薄型中空部１１と拡張中空部１２の境界１９は、基礎７の内側の面から離れて位置しており、拡張中空部１２の下面１２２と基礎７の内側の面との間には、基礎断熱材７１を配置するための空間が確保されている。境界１９は、拡張中空部１２の下壁１２２の傾斜が始まる位置である。
【００３９】
突出部１３は、薄型中空部１１に対して外部空間Ａ側（外側）に位置しており、薄型中空部１１と連続している。突出部１３は、基礎７と土台８の隙間９ａから外側に向けて突出している。すなわち、突出部１３は、基礎７及び土台８の外側の面よりも外側に突出している。
【００４０】
突出部１３は、土台８に設けられる水切り８１の内側の空間に収容される。すなわち、隙間９ａと水切り８１の間には下方に向けて開放された空間が形成されており、突出部１３は、その空間に収容される。突出部１３が隙間９ａから突出する大きさは、水切り８１が土台８から張り出す大きさよりも小さい。
【００４１】
突出部１３は、開口１３ａを有している。具体的には、突出部１３は、薄型中空部１１の上壁１１１の前端が下方に折り曲げられてできた端部１３１を有しており、開口１３ａは、水切り８１と同様、下方に向けて開放されている。開口１３ａには、異物の侵入を防止するためのメッシュが設けられている。
【００４２】
取付部１４は、突出部１３の左右両側に設けられている。取付部１４は、基礎７及び土台８の外側の面と対向し、上下方向に延びる板状のブラケットである。取付部１４は、ネジ等によって基礎７及び土台８の外側の面に取り付けられる。取付部１４は、基礎７及び土台８の一方のみに取り付けられてもよい。
【００４３】
取付部１４は、突出部１３が隙間９ａから突出する大きさを定めている。すなわち、ダクト１のうち、取付部１４よりも外側の部分が突出部１３となる。
【００４４】
返し部１５は、突出部１３の下方を向いた開口１３ａと基礎７の外側の面との間に突出しており、これにより開口１３ａがモルタルで塞がれることを防止している。返し部１５は、薄型中空部１１の下壁１１２の前端が下方に折り曲げられてできており、開口１３ａの内側の縁から外下方向に向かって突出している。
【００４５】
連結部１６は、拡張中空部１２に対して床下空間Ｂ側（内側）に設けられている。連結部１６は、円筒状に形成されて開口を有しており、拡張中空部１２と連続している。連結部１６には、他のダクト等が連結される。
【００４６】
取付部１７は、薄型中空部１１の左右両側に設けられている。取付部１７は、基礎７の上面と対向する板状のブラケットである。取付部１７は、ネジ等によって基礎７の上面に取り付けられる。なお、取付部１４及び１７の一方が省略されてもよい。
【００４７】
図６は、第１実施形態に係るダクト１、換気システム１０、及び建物１００を示す図である。換気システム１０は、ダクト１、及びダクト１に連結される送風機２０を備えている。送風機２０は、中継ダクト３０を介してダクト１に連結されている。
【００４８】
送風機２０は、建物１００の床８３に設置されており、室内空間Ｃを換気する。すなわち、換気システム１０は、送風機２０の動作によって、室内空間Ｃの空気をダクト１を通じて外部空間Ａへ排気する。これに限らず、外部空間Ａの空気をダクト１を通じて室内空間Ｃへ吸気してもよい。
【００４９】
図７に示すように、送風機２０は、建物１００の内壁６１に設置されてもよい。中継ダクト３０は、送風機２０から壁部６の内部を通って下方に延び、床下空間Ｂに出た後にダクト１に連結される。なお、送風機２０は、建物１００の天井等に設置されてもよい。
【００５０】
また、ダクト１は、送風機２０が設置された壁部６Ｘと離れた又は向きが異なる他の壁部６Ｙの下方に配置されてもよい。
【００５１】
以上に説明した実施形態によれば、基礎７と土台８の隙間９ａを利用することで、建物１００の外壁に穴を開けずにダクト１を設置することが可能となり、また、施行やメンテナンスを容易にすることも可能となる。
【００５２】
これによれば、外壁の穴に取り付けるベントキャップが不要となるため、ベントキャップが建物１００の外観において目立つことを避けられる。また、ベントキャップの周囲に生じやすい水垢によって建物１００の外観が損ねられることも避けられる。また、ベントキャップがなければ、建物１００を外から見ても、そこがキッチン、トイレ又は風呂等の換気が行われる部屋とは分からないため、防犯上の観点からも好ましい。
【００５３】
また、実施形態によれば、ダクト１の突出部１３が基礎７と土台８の隙間９ａから外側に突出しており、開口１３ａが隙間９ａの外側に位置しているので、湿気を含んだ空気を土台８等に当てることなく、外部空間Ａへ直接排気することが可能となる。
【００５４】
また、実施形態によれば、建物１００の下部にある基礎７と土台８の高さから下方に向けて排気が出るため、隣接する建物の窓などに排気が当たることを避けられる。このことは、建物が密集する地域において特に有用である。
【００５５】
また、実施形態によれば、送風機２０が設置された壁部６Ｘと離れた又は向きが異なる他の壁部６Ｙの下方にダクト１を配置できるので、キッチン、トイレ又は風呂等の換気が行われる部屋を建物１００の外から分かり難くすることが可能となる。
【００５６】
なお、以上に説明した実施形態では、送風機２０を室内空間Ｃの換気に用いていたが、これに限らず、送風機２０を床下空間Ｂに設置し、床下空間Ｂの換気に用いてもよい。
【００５７】
［変形例］
図８（ａ），（ｂ）は、変形例に係るダクト１Ｂの側面図である。ダクト１Ｂは、薄型中空部１１と拡張中空部１２とが分割可能に構成されている。すなわち、薄型中空部１１と拡張中空部１２とが互いに着脱可能になっている。例えば、図８（ａ）に示すように薄型中空部１１の後端部１１４が拡張中空部１２に嵌め込まれてもよいし、図８（ｂ）に示すように拡張中空部１２の前端部１２４が薄型中空部１１に嵌め込まれてもよい。薄型中空部１１と拡張中空部１２とは、ネジ等によって互いに連結される。
【００５８】
これによれば、基礎７上に土台８を設置した後であってもダクト１Ｂを設置することが容易となる。すなわち、基礎７と土台８の隙間に外部空間Ａ側から薄型中空部１１を挿入した後、床下空間Ｂ側で薄型中空部１１と拡張中空部１２を互いに連結することにより、ダクト１Ｂが設置される。
【００５９】
［第２実施形態］
図９は、第２実施形態に係るダクト１Ｃ、換気システム１０Ｃ及び建物１００を示す図である。換気システム１０Ｃは、ダクト１Ｃ、及び外部空間Ａに設けられたベンチレータ２１を備えている。ベンチレータ２１は、中継ダクト３１を介してダクト１の突出部１３に連結されている。突出部１３は、下方に延びる垂下部１３４を有しており、垂下部１３４の外側の面に中継ダクト３１が連結される。
【００６０】
ベンチレータ２１は、送風機の一例であり、床下空間Ｂを換気する。すなわち、換気システム１０Ｃは、ベンチレータ２１の動作によって、床下空間Ｂの空気をダクト１Ｃを通じて外部空間Ａへ排気する。これに限らず、外部空間Ａの空気をダクト１Ｃを通じて床下空間Ｂへ吸気してもよい。また、ベンチレータ２１を室内空間Ｃの換気に用いてもよい。ベンチレータ２１は、自然回転型であってもよいし、電動であってもよい。
【００６１】
［第３実施形態］
図１０は、第３実施形態に係るダクト１Ｄ及び建物１００を示す図である。ダクト１Ｄは、電気ケーブルＷＬを通すために用いられる。具体的には、電気ケーブルＷＬは、床下空間Ｂからダクト１Ｄに挿入され、拡張中空部１２と薄型中空部１１とを順に通され、突出部１３の開口１３ａから外部空間Ａに出る。これとは逆に、電気ケーブルＷＬは、外部空間Ａからダクト１Ｄの開口１３ａに挿入され、薄型中空部１１と拡張中空部１２とを順に通され、連結部１６等から床下空間Ｂに出てもよい。
【００６２】
ダクト１Ｄは、外部空間Ａで電気ボックスＢＸを支持するための支持部１５１を備えており、突出部１３の開口１３ａから出た電気ケーブルＷＬは、支持部１５１に支持された電気ボックスＢＸに接続される。電気ボックスＢＸは、例えばコンセントを取り付けるためのスイッチボックスである。
【００６３】
支持部１５１は板状に形成されており、突出部１３の下方に位置している。具体的には、支持部１５１は、返し部１５の下端から下方に延びている。これに限らず、返し部１５を省略し、支持部１５１を取付部１４と同一平面に設け、基礎７の外側の面と接触するようにしてもよい。
【００６４】
本実施形態によれば、建物１００の外壁等に穴を開けずに、床下空間Ｂから外部空間Ａに電気ケーブルＷＬを通すことが可能となるとともに、電気ケーブルＷＬが接続された電気ボックスＢＸを提供することが可能となる。
【００６５】
また、図１１及び図１２に示す変形例のダクト１Ｅ，１Ｆのように、電気ボックスＢＸを収容するための外側に向けて開放された箱状の支持部１３５が設けられてもよい。支持部１３５は、突出部１３の一部であり、垂下部１３４の下方に位置し、垂下部１３４と連続している。
【００６６】
電気ケーブルＷＬは、突出部１３の垂下部１３４を通って支持部１３５の内部に至り、電気ボックスＢＸと接続される。これによれば、電気ケーブルＷＬを外部空間Ａに露出させずに電気ボックスＢＸと接続することが可能となる。
【００６７】
電気ケーブルＷＬは、床下空間Ｂ側からダクト１Ｅに挿入されてもよいし、外部空間Ａ側からダクト１Ｅに挿入されてもよい。
【００６８】
また、ダクト１Ｅ，１Ｆのように、拡張中空部１２が省略されてもよい。また、薄型中空部１１は、ダクト１Ｅのように床下空間Ｂまで延びてもよいし（図１１参照）、ダクト１Ｆのように隙間９ａの外部空間Ａ側の一部のみに配置されるように短縮されてもよい（図１２参照）。
【００６９】
［第４実施形態］
図１３及び図１４は、第４実施形態に係るダクト１Ｇ，１Ｈ及び建物１００を示す図である。上記実施形態と重複する構成は同番号を付すことで、詳細な説明を省略する。ダクト１Ｇ，１Ｈは、水等の液体又はガス等の気体を通すために用いられる。
【００７０】
突出部１３は、下方に延びる垂下部１３４を有している。開口１３ａは、垂下部１３４の外側の面に形成されている。液体又は気体は、連結部１６からダクト１Ｇ，１Ｈに流入し、拡張中空部１２と薄型中空部１１とを順に通り、突出部１３の開口１３ａに至る。これとは逆に、液体又は気体は、突出部１３の開口１３ａからダクト１Ｇ，１Ｈに流入し、薄型中空部１１と拡張中空部１２とを順に通り、連結部１６に至ってもよい。
【００７１】
突出部１３の開口１３ａの縁には、管ＴＢを連結するための連結部１３２が設けられている。連結部１３２は、例えばソケット（管継手）である。連結部１３２には、ダクト１Ｇのように流量を調整するための蛇口ＴＰの管ＴＰが連結されてもよいし（図１３参照）、ダクト１Ｈのように流量を検出するためのメーターＧＭに繋がる管ＴＰが連結されてもよい（図１４参照）。
【００７２】
本実施形態によれば、建物１００の外壁等に穴を開けずに、床下空間Ｂから外部空間Ａに水道又はガス等を引くことが可能となる。又は、外部空間Ａから床下空間Ｂに水道又はガス等を引いてもよい。
【００７３】
［第５実施形態］
図１５及び図１６は、第５実施形態に係るダクト１Ｋ及び建物１００Ｂを示す側面図及び正面図である。上記実施形態と重複する構成は同番号を付すことで、詳細な説明を省略する。
【００７４】
本実施形態の建物１００Ｂでは、土台８に凹部（溝部）８４が形成されている。凹部８４は、土台８の下面に形成され、下方に向けて開放されている。また、凹部８４は、前後方向に延び、土台８の内側の面から外側の面まで貫通している。これに限らず、凹部は基礎７に形成されてもよいし、基礎７と土台８の両方に形成されてもよい。
【００７５】
ダクト１Ｋの薄型中空部１１が配置される隙間９ａは、土台８の凹部８４によって形成されている。すなわち、隙間９ａは、基礎７の上面と土台８の凹部８４の底面（下面）との間に形成されている。このため、隙間９ａの厚さ（上下方向の高さ）は、基礎パッキン９の厚さよりも大きい。
【００７６】
ダクト１Ｋは、例えば水等の液体又はガス等の気体を通すホースＨＳを床下空間Ｂから外部空間Ａに通すために用いられる。ダクト１Ｋは、ホースＨＳ（可撓性のある管）に限らず、金属製の管を通すために用いられてもよい。
【００７７】
ダクト１Ｋは、図１５に示すように拡張中空部１２が省略されてもよいし、これに限らず、拡張中空部１２が設けられてもよい。
【００７８】
ダクト１Ｋの突出部１３は、下方に延びる垂下部１３４を有している。垂下部１３４は箱状に形成されており、外側の面に開口１３ａが形成されている。垂下部１３４には、基礎７の外側の面に取り付けるための複数の取付部１８が設けられている。
【００７９】
ダクト１Ｋに通されたホースＨＳは、開口１３ａの縁の連結部１３２に取り付けられる蛇口ＴＰ又はメーターＧＭ等の管ＴＢ（図１３及び図１４参照）と連結される。又は、ダクト１Ｋに通されたホースＨＳは、開口１３ａを通じて外部空間Ａに引き出されてもよい。
【００８０】
本実施形態によれば、土台８の凹部８４を利用した、基礎パッキン９よりも厚い隙間９ａに薄型中空部１１が配置されるため、薄型中空部１１を基礎パッキン９よりも厚くすることができ、これにより薄型中空部１１にホースＨＳ等の管状部材を通すことが容易となる。
【００８１】
［第６実施形態］
図１７及び図１８は、第６実施形態に係るダクト１及び建物１００Ｃを示す側面図及び正面図である。上記実施形態と重複する構成は同番号を付すことで、詳細な説明を省略する。
【００８２】
本実施形態の建物１００Ｃでは、基礎７と土台８の間に基礎パッキン９が介在しておらず、基礎７と土台８とが互いに接している。
【００８３】
土台８には、凹部（溝部）８４が形成されている。凹部８４は、土台８の下面に形成され、下方に向けて開放されている。また、凹部８４は、前後方向に延び、土台８の内側の面から外側の面まで貫通している。これに限らず、凹部は基礎７に形成されてもよいし、基礎７と土台８の両方に形成されてもよい。
【００８４】
ダクト１の薄型中空部１１が配置される隙間９ａは、土台８の凹部８４によって形成されている。すなわち、隙間９ａは、基礎７の上面と土台８の凹部８４の底面（下面）との間に形成されている。
【００８５】
本実施形態によれば、基礎パッキン９を用いず、基礎７と土台８とが互いに接した建物１００Ｃであっても、土台８に設けた凹部８４により基礎７と土台８の間に隙間９ａを形成し、その隙間９ａにダクト１の薄型中空部１１を配置することが可能となる。
【００８６】
［第７実施形態］
図１９及び図２０は、第７実施形態に係るダクト１及び建物１００Ｄを示す側面図及び正面図である。上記実施形態と重複する構成は同番号を付すことで、詳細な説明を省略する。
【００８７】
本実施形態の建物１００Ｄでは、基礎７と土台８の間に基礎パッキン９が介在しておらず、基礎７と土台８とが互いに接している。基礎７には、外部空間Ａから床下空間Ｂに通じる貫通穴７ａが形成されている。貫通穴７ａは、上下方向に薄い断面矩形状に形成されている。
【００８８】
本実施形態では、基礎７に形成された貫通穴７ａにダクト１の薄型中空部１１が配置されている。貫通穴７ａの幅又は高さは、薄型中空部１１との間に隙間が形成されない又は僅かな隙間が形成される程度の大きさとされる。
【００８９】
本実施形態によれば、基礎パッキン９を用いず、基礎７と土台８とが互いに接した建物１００Ｄであっても、基礎７に貫通穴７ａを形成し、その貫通穴７ａにダクト１の薄型中空部１１を配置することが可能となる。
【００９０】
以上、本発明の実施形態について説明したが、本発明は以上に説明した実施形態に限定されるものではなく、種々の変更が当業者にとって可能であることはもちろんである。
【符号の説明】
【００９１】
１  ダクト、１１  薄型中空部（第１中空部の例）、１１１  上壁、１１２  下壁、１１３  側壁、１２  拡張中空部（第２中空部の例）、１２１  上壁、１２２  下壁、１２３  側壁、１２４  前端部、１３  突出部、１３１  端部、１３２  連結部、１３４  垂下部、１３ａ  開口、１４  取付部、１５  返し部、１５１  支持部、１６  連結部、１７，１８  取付部、１９  境界、６  壁部、６１  内壁、７  基礎、７１  基礎断熱材、７ａ  貫通穴、８  土台、８１  水切り、８２  床断熱材、８３  床断熱材、８４  凹部、９  基礎パッキン、９ａ  隙間、１０  換気システム、２０  送風機、２１  ベンチレータ、３０，３１  中継ダクト、１００  建物、Ａ  外部空間、Ｂ  床下空間、Ｃ  室内空間、ＷＬ  電気ケーブル、ＢＸ  電気ボックス、ＴＰ  調整具、ＨＳ  ホース
【図１】
2020190174.tif 000003
【図２】
2020190174.tif 000004
【図３】
2020190174.tif 000005
【図４】
2020190174.tif 000006
【図５】
2020190174.tif 000007
【図６】
2020190174.tif 000008
【図７】
2020190174.tif 000009
【図８】
2020190174.tif 000010
【図９】
2020190174.tif 000011
【図１０】
2020190174.tif 000012
【図１１】
2020190174.tif 000013
【図１２】
2020190174.tif 000014
【図１３】
2020190174.tif 000015
【図１４】
2020190174.tif 000016
【図１５】
2020190174.tif 000017
【図１６】
2020190174.tif 000018
【図１７】
2020190174.tif 000019
【図１８】
2020190174.tif 000020
【図１９】
2020190174.tif 000021
【図２０】
2020190174.tif 000022